(57)【要約】【課題】小型で高信頼性を有するアンテナを備えた電子時計を提供する。【解決手段】地板にアンテナ３７を配置した電子時計において、アンテナ３７は、絶縁材料で形成され、磁性シートを積層したアンテナコアが配置されるコア枠２１０を備え、このコア枠２１０は、アンテナコアを含む外周にコイルが巻かれる平板部２１１と、この平板部２１１の両端に設けられ、アンテナコアの一部を収容する断面凹状の凹状部２１２Ａ、２１２Ｂを有し、この凹状部２１２Ａ、２１２Ｂがアンテナコア２２０の地板への接触を規制するようにした。【選択図】図１０
2008020326.tif 000002
【特許請求の範囲】
【請求項１】
地板にアンテナを配置した電子時計において、
前記アンテナは、絶縁材料で形成され、磁性シートを積層したアンテナコアが配置されるコア枠を備え、このコア枠は、前記アンテナコアを含む外周にコイルが巻かれる平板部と、この平板部の両端に設けられ、前記アンテナコアの一部を収容する断面凹状の凹状部を有し、前記凹状部が前記アンテナコアの地板への接触を規制することを特徴とする電子時計。
【請求項２】
請求項１に記載の電子時計において、
前記凹状部は、当該凹状部に収容された前記アンテナコアより前記地板に近接することを特徴とする電子時計。
【請求項３】
請求項２に記載の電子時計において、
前記受信アンテナを前記地板に配置した場合、前記凹状部は、前記地板との間に隙間を空けた位置に配置されることを特徴とする電子時計。
【請求項４】
請求項１乃至３のいずれかに記載の電子時計において、
前記凹状部は、前記コイルの端部近傍に位置することを特徴とする電子時計。
【請求項５】
請求項１乃至４のいずれかに記載の電子時計において、
前記コア枠の平板部は、前記アンテナコアを含む外周が絶縁性フィルムで被覆され、この絶縁性フィルムの上から前記コイルが巻かれることを特徴とする電子時計。
【請求項６】
請求項１乃至５のいずれかに記載の電子時計において、
前記コア枠における前記凹状部を含む端部には、前記アンテナコアと反対側の面にプリント基板が配置され、このプリント基板を介して前記コイルと受信回路とが電気的に接続されることを特徴とする電子時計。
【請求項７】
請求項６に記載の電子時計において、
前記コア枠は、前記プリント基板が配置される面よりも前記コイルが巻かれる面の方が前記アンテナコアに近くなるように構成されていることを特徴とする電子時計。
【請求項８】
請求項１乃至７のいずれかに記載の電子時計において、
前記コア枠の端部には、当該アンテナを前記地板にねじ固定するための孔部が形成されていることを特徴とする電子時計。
【発明の詳細な説明】
【技術分野】
【０００１】
本発明は、地板にアンテナを配置した電子時計に関する。
【背景技術】
【０００２】
従来より、アンテナを内蔵した電子時計として、電波時計が知られている（例えば、特許文献１参照）。この種の電波時計には、絶縁性の基材からなるコア枠にアモルファス金属箔を積層したアンテナコアを配置し、このアンテナコアにコイルを巻いたアンテナを備え、このアンテナを地板に固定したものが知られている（例えば、特許文献２参照）。
【特許文献１】特開２００５−３０８６４９号公報
【特許文献２】特開２００５−２６５７８２号公報
【発明の開示】
【発明が解決しようとする課題】
【０００３】
しかし、従来の構成では、アンテナコアに衝撃に弱いアモルファスコアを適用しており、落下などで時計が衝撃を受けた場合、アモルファスコアが地板に接触して磁気特性が劣化してしまうおそれがある。このアンテナコアの耐衝撃性を向上するために、アンテナコアを樹脂製の枠で覆った場合、アンテナが大型化してしまい、小型化が要求される電子時計には望ましくない。
本発明は、上述した事情に鑑みてなされたものであり、小型で高信頼性を有するアンテナを備えた電子時計を提供することを目的としている。
【課題を解決するための手段】
【０００４】
上記課題を解決するため、本発明は、地板にアンテナを配置した電子時計において、前記アンテナは、絶縁材料で形成され、磁性シートを積層したアンテナコアが配置されるコア枠を備え、このコア枠は、前記アンテナコアを含む外周にコイルが巻かれる平板部と、この平板部の両端に設けられ、前記アンテナコアの一部を収容する断面凹状の凹状部を有し、前記凹状部が前記アンテナコアの地板への接触を規制することを特徴とする。
この発明によれば、コア枠は、アンテナコアを含む外周にコイルが巻かれる平板部と、この平板部の両端に設けられ、アンテナコアの一部を収容する断面凹状の凹状部を有し、凹状部がアンテナコアの地板への接触を規制するので、アンテナコアを樹脂製の枠などで覆うことなく、アンテナコアへの衝撃を回避でき、信頼性を維持しつつ小型化を図ることができる。また、アンテナコアを含む外周にコイルが巻かれる部分を平板部としたので、コイルの巻き上がりを小さくし、その分、アンテナユニットを小型化できる。
【０００５】
上記構成において、前記凹状部は、当該凹状部に収容された前記アンテナコアより前記地板に近接することが好ましい。この構成によれば、衝撃時に凹状部が地板に接触してアンテナコアが地板に接触するのを確実に規制することができる。
また、上記構成において、前記受信アンテナを前記地板に配置した場合、前記凹状部は、前記地板との間に隙間を空けた位置に配置されることが好ましい。この構成によれば、衝撃時にコア枠が撓んで凹状部を地板に接触させ、アンテナコアが地板に接触するのを確実に規制することができる。
【０００６】
また、上記構成において、前記凹状部は、前記コイルの端部近傍に位置することが好ましい。また、上記構成において、前記コア枠の平板部は、前記アンテナコアを含む外周が絶縁性フィルムで被覆され、この絶縁性フィルムの上から前記コイルが巻かれることが好ましい。この構成によれば、絶縁性フィルムによってアンテナコアとコイルとの絶縁性が確保される。
【０００７】
また、上記構成において、前記コア枠における前記凹状部を含む端部には、前記アンテナコアと反対側の面にプリント基板が配置され、このプリント基板を介して前記コイルと受信回路とが電気的に接続されることが好ましい。この構成によれば、プリント基板によってコイルと受信回路とを容易に導通接続することができる。
【０００８】
また、上記構成において、前記コア枠は、前記プリント基板が配置される面よりも前記コイルが巻かれる面の方が前記アンテナコアに近くなるように構成されていることが好ましい。この構成によれば、コイルをアンテナコアに近づけることができると共に、プリント基板とアンテナコアとを離して配置でき、長波標準電波の受信を行う際のアンテナコアに発生する磁界とプリント基板に流れる受信信号との干渉が低減され、受信効率の低下を回避できる。
【０００９】
また、上記構成において、前記コア枠の端部には、当該アンテナを前記地板にねじ固定するための孔部が形成されていることが好ましい。この構成によれば、アンテナを地板にねじで確実に固定することができる。
【発明の効果】
【００１０】
本発明のアンテナは、絶縁材料で形成され、磁性シートを積層したアンテナコアが配置されるコア枠を備え、このコア枠は、アンテナコアを含む外周にコイルが巻かれる平板部と、この平板部の両端に設けられ、アンテナコアの一部を収容する断面凹状の凹状部を有し、凹状部がアンテナコアの地板への接触を規制するので、アンテナコアを樹脂製の枠などで覆うことなく、アンテナコアへの衝撃を回避できると共に、コイルの巻き上がりを小さくでき、小型で高信頼性を確保することができる。
【発明を実施するための最良の形態】
【００１１】
以下、図面を参照して本発明の一実施形態について説明する。
図１は、本発明に係る腕時計型のソーラー充電式電波時計（以下、腕時計という）の電気的構成を示すブロック図である。この腕時計１は、時刻表示指針１Ａを駆動する輪列機構やモータを備えるアナログ時計機構部１Ｂと、アナログ時計機構部１Ｂのモータを駆動するモータ駆動回路１Ｃと、この腕時計１全体を制御する制御回路１Ｄと、腕時計１の各部に電力を供給する電源１Ｅとを備えている。
また、この腕時計１は、長波標準電波（日本ＪＪＹ：４０ｋＨｚ／６０ｋＨｚ、アメリカＷＷＶＢ：６０ｋＨｚ、ドイツＤＣＦ７７：７７．５ｋＨｚ）を受信するアンテナ１Ｆと、受信回路１Ｇと、データ記憶回路１Ｈとを備え、制御回路１Ｄの制御の下、アンテナ１Ｆを介して長波標準電波を受信し、受信した長波標準電波から現在時刻情報を示すタイムコードを復号し、データ記憶回路１Ｈに記憶させる。
【００１２】
また、この制御回路１Ｄには、時刻表示指針１Ａの位置を検出する針位置検出回路１Ｉと、発電装置１Ｊとが接続され、制御回路１Ｄは、長波標準電波を受信した場合、針位置検出回路１Ｉの検出結果から復号したタイムコードに対する時刻表示指針１Ａのずれ量を特定し、このずれ量を補正するようにモータ駆動回路１Ｃによりモータを駆動させると共に、発電装置１Ｊが発電した電力を電源１Ｅに充電させる。この発電装置１Ｊは発電検出信号Ｓ１を制御回路１Ｄに出力する機能を具備し、制御回路１Ｄはこの発電検出信号Ｓ１に基づいて発電がないときに運針を停止させるパワーセーブ制御を行う。さらに、この制御回路１Ｄは、電源１Ｅの電圧が所定電圧以上に至ると、過充電防止用の制御信号Ｓ２を発電装置１Ｊに出力し、電源１Ｅをそれ以上充電させないようにリミッタをかける制御も行う。
また、外部操作部材１Ｋは、制御回路１Ｄにユーザ指示を入力するためのものであり、例えば、外部操作部材１Ｋが操作された場合、制御回路１Ｄは長波標準電波を受信して時刻を修正する時刻修正処理を実行する。
【００１３】
図２は、腕時計１の一実施形態に係る時計外観を示す図であり、図３はその断面構造の概要を示す図である。
この腕時計１は、時計ケース２と、この時計ケース２に連結された一対のバンド（帯状体）３とを備えている。時計ケース２は、ステンレス、チタンなどの金属材またはプラスチックなどの樹脂材で形成され、その内部に貫通孔２Ａ（図２参照）を有している。時計ケース２の貫通孔２Ａには、時計表側から順に、文字板１０、発電装置１Ｊを構成するソーラーパネル２０、アナログ時計機構部１Ｂおよび上記の各種回路を構成するムーブメント（電子時計用ムーブメント）３０が積層配置されている。
また、文字板１０上には、ムーブメント３０の秒車、２番車、筒車から延びるパイプ２１、２２、２３に各々連結された秒針５、分針６および時針７からなる時刻表示指針１Ａが配置され、この貫通孔２Ａの時計表側がカバーガラス４０で封止され、裏側が裏蓋４１で封止される。このカバーガラス４０と時計ケース２との間、および、裏蓋４１と時計ケース２との間には各々パッキン４２、４３が配置されて時計ケース２内の密封性が確保される。また、時計ケース２の外側には、竜頭８と、外部操作部材１Ｋとして機能する操作ボタン９とが設けられている。
【００１４】
この腕時計１の文字板１０は、光透過性を有する材料で形成されており、カバーガラス４０および文字板１０を通過した太陽光などの光がソーラーパネル２０に照射されてソーラーパネル２０が発電し、この発電電力が電源１Ｅを構成する二次電池３８（図４参照）に充電される。そして、この二次電池３８の電力によりムーブメント３０が駆動して現在時刻を表示する。この二次電池３８には、ボタン型のキャパシタまたはリチウムイオン二次電池などの化学二次電池が適用されている。
【００１５】
図４は、ムーブメント３０を裏蓋４１側から見た平面図であり、図５は、このムーブメント３０から回路基板５０および回路押さえ板５１を外した状態を示す平面図である。このムーブメント３０は、ムーブメント３０の基材となる略円板形状の地板３１を備えている。この地板３１には、上記時刻表示指針１Ａ（秒針５、分針６および時針７）を回転駆動するための輪列機構（秒車、２番車、筒車を含む）３５と、２つのモータ３６Ａ、３６Ｂと、アンテナ１Ｆを構成するアンテナユニット３７と、電源を構成する二次電池３８などが配置されている。なお、図４および図５において、符号８Ａは、ムーブメント３０の３時位置から延びてその先端に竜頭８が連結される巻き真である。
なお、本実施形態の地板３１には、電波の受信に支障がでないように樹脂製の地板が適用されているが、受信性能を満足する範囲で金属製などの他の材料の地板を適用してもよい。
【００１６】
この地板３１の部品レイアウトについて詳述すると、図５に示すように、地板３１には、その中央領域に輪列機構３５が配置され、この輪列機構３５を取り囲む外側に環状の空き領域ＳＣが確保される。そして、この空き領域ＳＣには、２つのモータ３６Ａ、３６Ｂ、アンテナユニット３７および二次電池３８などが配置される。
より具体的には、環状の空き領域ＳＣは、第一領域（略０時−３時領域）ＡＲ１と、第二領域（略３時−６時領域）ＡＲ２と、第三領域（略６時−１０時領域）ＡＲ３と、第四領域（略１０時−１２時（０時）領域）ＡＲ４との４つに区分され、第一領域ＡＲ１には一方のモータ３６Ａが配置され、第二領域ＡＲ２には他方のモータ３６Ｂが配置され、第三領域ＡＲ３には、アンテナユニット３７が配置され、第四領域ＡＲ４には二次電池３８が配置される。これにより、地板３１の限られた平面スペースに比較的大型の４部品（二個のモータ３６Ａ、３６Ｂ、アンテナユニット３７、二次電池３８）を上下に重ねることなくバランスよく配置している。
【００１７】
上記輪列機構３５の各歯車の軸は、一端が地板３１に支持されると共に、他端が地板３１の裏蓋４１側に設けられた輪列受け４５に支持されている。この輪列機構３５は、時針７および分針６用の輪列機構と、秒針５用の輪列機構とを有し、一方の輪列機構がモータ３６Ａによって駆動されると共に、他方の輪列機構がモータ３６Ｂによって駆動される。すなわち、２つのモータ３６Ａ、３６Ｂの一方が時針７および分針６を駆動する時分モータとして機能し、他方が秒針５を駆動する秒針モータとして機能するように構成されている。
この腕時計１では、時針７および分針６と、秒針５とを独立駆動可能な２モータ式を採用することにより、アンテナユニット３７により受信した長波標準電波に含まれるタイムコードに従って時刻を調整する場合に、秒針５、分針６および時針７を１モータで駆動する場合に比して時刻調整時のモータ駆動量を減らすことができ、時刻調整の短時間化および電力消費量の低減を図ることができる。
【００１８】
なお、本実施形態のムーブメント３０は、婦人用時計を目的として従来のソーラー充電式電波時計用ムーブメントよりもさらに小型化を図ったムーブメントであり、２モータ式を採用しているが、これに限らず、全ての表示針を一個のモータで駆動する１モータ式を採用してもよい。また、ムーブメント３０を男性時計用とした場合、あるいはデザインの観点から比較的大型のものにした場合には、地板３１が大きくなる分、３個あるいは４個以上のモータを容易に配置することが可能である。
【００１９】
また、このムーブメント３０には、図４に示すように、地板３１の裏蓋４１側に輪列受け４５との間に間隔を空けて回路基板５０が配置され、この回路基板５０は、回路押さえ板５１によって地板３１に固定されている。
図６は、回路基板５０の時計表側（つまり、地板３１側）の平面図であり、図７は、その反対側（裏蓋４１側）の平面図である。この回路基板５０は、地板３１（ムーブメント３０）の略全面を覆う略円板形状に形成されている。この回路基板５０には、輪列機構３５の裏蓋４１側に飛び出る部分（秒車、２番車、筒車の軸部分）とモータ３６Ａ、３６Ｂのコイル部分とに対応する領域に窓部５０Ａ、５０Ｂ、５０Ｃが各々形成され、これらとの干渉を避けつつ、回路基板５０を地板３１側に近接配置させてムーブメント厚の増加を防いでいる。
【００２０】
この回路基板５０には、時計表側（地板３１側）の面に、受信回路１Ｇを構成する受信ＩＣ５５、制御回路１Ｄを含む各種回路を構成するマイクロコンピュータ５６、水晶振動子５７および針位置検出機構（図示せず）などの電子部品が実装されており、これら電子部品が、アンテナユニット３７、ソーラーパネル２０、モータ３６Ａ、３６Ｂおよび二次電池３８に電気的に接続されることによって、この回路基板５０は、この腕時計１全体を制御する回路部を構成する。
【００２１】
受信ＩＣ５５は、マイクロコンピュータ５６と配線接続され、マイクロコンピュータ５６の制御の下、アンテナユニット３７を介して長波標準電波を受信し、受信した長波標準電波から現在時刻情報を示すタイムコードを復号する。周知の通り、タイムコードには、現在分を示す分情報と、現在時を示す時情報と、現在日を表す日情報（その年の１月１日からの通算日）とが含まれ、これらの情報が受信ＩＣ５５からマイクロコンピュータ５６へ出力される。
【００２２】
マイクロコンピュータ５６は、この腕時計１の各部を中枢的に制御するものあり、ＣＰＵ、ＲＯＭ、ＲＡＭおよび水晶振動子５７を発振させる発振回路などの各種回路を有し、モータ３６Ａ、３６Ｂの駆動制御、長波標準電波の受信制御および時刻修正、ソーラーパネル２０の発電電力を二次電池３８に充電する制御および二次電池３８に蓄電された電力を各部に供給する電源制御といった各種処理を行う。
本構成では、回路基板５０が、アンテナユニット３７も含めて地板３１（ムーブメント３０）の略全面を覆うため、回路基板５０の面積を広く確保でき、電子部品や配線の配置領域を広く確保することができる。
また、この回路基板５０のアンテナユニット３７と重なる領域ＡＲＣは、配線パターンのみとされ、この領域ＡＲＣに実装部品を設けないことでムーブメント３０厚の増加を防いでいる。また、この回路基板５０の裏蓋４１側の面には、電気特性検査用のチェック端子ＴＣ（プラス端子ＴＡ、マイナス端子ＴＢ）が設けられている（図７参照）。
【００２３】
また、本構成の回路基板５０の側面部には、図６に示すように、マイクロコンピュータ５６の所定端子にパターン配線で電気的に接続された操作検出用接点６０と、マイクロコンピュータ５６を含む各種電子部品の電源入力端子にパターン配線で電気的に接続されたプラス側電源用接点７０とが設けられている。
操作検出用接点６０は、操作ボタン９に対応する位置（４時位置に相当）に設けられ、このムーブメント３０を組み立てた場合、この操作検出用接点６０の外側（回路基板５０の外周側）に、回路押さえ板５１に設けられた接点ばね部６５（図４参照）が離間して配置される。ムーブメント３０を時計ケース２に組み込んだ場合、接点ばね部６５には、操作ボタン９の先端が当接し、操作ボタン９が押下操作されると、接点ばね部６５が屈曲して操作検出用接点６０に接触し、この接触がユーザ操作としてマイクロコンピュータ５６に検出される。
【００２４】
また、プラス側電源用接点７０には、図４に示すように、二次電池３８の正極に電気的に接続されたプラスリード板９０に一体に設けられた圧接接点ばね部（圧接接点部材）９３が圧接し、これにより、二次電池３８と回路基板５０とが導通接続される。
【００２５】
次にアンテナユニット３７について詳述する。
図８はアンテナユニット３７を示す斜視図であり、図９はアンテナユニット３７を裏側から見た斜視図である。アンテナユニット３７は、コア枠２１０と、このコア枠２１０に配置されるアンテナコア２２０と、コア枠２１０を含むアンテナコア２２０の外周に巻かれたコイル２３０と、コア枠２１０に配置されるアンテナ用回路基板（プリント基板）２４０とを備えている。
【００２６】
図１０はコア枠２１０を示す斜視図である。コア枠２１０は、液晶ポリマなどの合成樹脂等の絶縁性材料で形成され、直線状に延びる平板部２１１と、この平板部２１１の両端に形成された一対のわん曲部（端部）２１２、２１３とを備えている。
同図に示すように、一対のわん曲部２１２、２１３は、地板３１の外形形状に沿って略円弧状にわん曲しており（図５参照）、各わん曲部２１２、２１３は、コイル２３０の端部近傍に断面凹状の凹状部２１２Ａ、２１３Ａを一体に備え、この凹状部２１２Ａ、２１３Ａの凹み部分の間に位置する面Ｘが平板部２１１の地板３１側の面と同じ高さに形成されている。
また、わん曲部２１２、２１３には、平板部２１１の地板３１側の面（面Ｘを含む）と同じ高さで外側に延びる厚板部２１２Ｂ、２１３Ｂと、この厚板部２１２Ｂ、２１３Ｂから延びて、ねじ固定用の孔部２１４が形成された薄板部２１２Ｃ、２１３Ｃとを一体に有している。
【００２７】
アンテナコア２００は、Ｃｏ系を主成分としたアモルファス金属の薄板（磁性シート）を複数枚積層して構成されたアモルファスコアであり、例えば、約１０μｍのアモルファス金属薄板を３０〜４０枚程度積層している。アモルファス金属薄板は接着剤で互いに接着され、平板部２１１と各わん曲部２１２、２１３の厚板部２１２Ｂ、２１３Ｂとの上に配置され（図９参照）、この状態でコア枠２１０に接着固定される。
【００２８】
このアンテナコア２００の平板部２１１を含む部分は、図１１に示すように、絶縁性フィルム２５０で被覆され、この絶縁性フィルム２５０の上からコイル２３０が巻かれる。これにより、絶縁性フィルム２５０によってアンテナコア２００とコイル２３０との絶縁性が確保される。このコイル２３０の線径や巻き数などはコイル２３０の材質やアンテナの受信感度などを勘案して設定されている。なお、コイル２３０の表面には予め接着剤が被覆されており、ヒータにより熱風をあてながらコイル２３０を巻くことにより、コイル２３０は互いに接着されている。
【００２９】
本構成では、コア枠２１０の凹状部２１２Ａ、２１３Ａには、図９および図１０に示すように、コイル２３０の両側部分にコイル２３０の厚みよりも突出するフランジ部２１２Ｆ、２１３Ｆが形成されると共に、このフランジ部２１２Ｆ、２１３Ｆ以外の平面部分（以下、平面部２１２Ｈという）が、フランジ部２１２Ｆ、２１３Ｆより低く、かつ、同じ高さに形成されている。このため、コイル２３０は、コイル２３０の厚みよりも突出するフランジ部２１２Ｆ、２１３Ｆによってせき止められてわん曲部２１２、２１３には巻かれない。
また、コア枠２１０のコイル２３０の両側部分近傍の側面（凹状部２１２Ａ、２１３Ａの側面）には、図８および図９に示すように、アンテナコア２００を地板３１に固定した際に、地板３１に係止する左右一対の係止爪２１６が一体に設けられている。
【００３０】
アンテナ用回路基板２４０は、図８に示すように、コア枠２１０の凹状部２１３Ａおよび厚板部２１３Ｂにおけるアンテナコア２００の反対側（回路基板５０側）の面であるアンテナ用回路基板配置面２６０に配置されている。このアンテナ用回路基板２４０は、絶縁材料で構成されたフレキシブルプリント基板が適用され、このアンテナ用回路基板２４０には、はんだ付けや溶着によりコイル２３０が接続され、アンテナユニット３７の同調周波数調整用の電気素子としてコンデンサ２４０Ａ、２４０Ｂなどが実装されている。このアンテナ用回路基板２４０は、薄板部２１３Ｃの孔部２１４と連通する孔部２４１を有し、この孔部２４１の周囲には、回路基板５０と導通接続するための導通パターン２４２が設けられている。
【００３１】
図１２は、アンテナユニット３７を地板３１に実装した状態を示す断面図である。上記コア枠２１０に形成されたアンテナ用回路基板配置面２６０は、アンテナ用回路基板２４０が接着等で接触状態で配置される面２６１を含み、この面２６１は、コア枠２１０における後述する絶縁性フィルム２５０を介してコイル２３０が巻かれる平板部２１１の面２５１よりもアンテナコア２００と反対側に距離αだけ離れた面に形成されている。
言い換えれば、このコア枠２１０においては、コイル２３０が巻かれる平板部２１１におけるアンテナコア２００と反対側の面２５１が、アンテナコア２００に近い面とされると共に、アンテナ用回路基板２４０を配置する面２６１が、アンテナコア２００から離れた面に形成される。
このように、コイル２３０が巻かれる平板部２１１の面２５１をアンテナコア２００に近づけることにより、コイル２３０をアンテナコア２００に近づけることができ、かつ、アンテナ用回路基板２４０が配置される面２６１を、平板部２１１の面２５１よりも距離αだけアンテナコア２００から離したことにより、アンテナ用回路基板２４０とアンテナコア２００との距離が近すぎてアンテナコア２００に発生する磁界とアンテナ用回路基板２４０に流れる受信信号とで干渉が生じ、受信性能が劣化してしまうなどの事態を回避することができる。具体的には、長波標準電波の受信を行う場合、アンテナ用回路基板２４０の導電パターンはアンテナコア２００よりも０．１ｍｍ以上の距離を離すことが望ましい。
【００３２】
このアンテナユニット３７は、図１２に示すように、コア枠２１０の両端のわん曲部２１２、２１３に設けられた孔部２１４が、地板３１に間隔を設けられたパイプ部材（いわゆるねじピン）３１Ｐ、３１Ｐ１に通され、ねじ３１Ｎ、３１Ｎ１を締結することによって地板３１に固定される。なお、このパイプ部材３１Ｐ１は、図３に示すように、モータ３６Ｂ近傍の略６時位置に配設されている。
【００３３】
より具体的には、一方のパイプ部材３１Ｐは、地板３１の外周縁部の二次電池３８近傍に設けられ（図５参照）、このパイプ部材３１Ｐには、図１２に示すように、プラスリード板９０と、アンテナユニット３７の一方のわん曲部２１２に設けられた孔部２１４と、二次電池３８に溶着されたマイナスリード板８０と、回路基板５０と、回路押さえ板５１とが順に挿通され、このパイプ部材３１Ｐに上方からねじ３１Ｎが締結されることによって、パイプ部材３１Ｐに挿通された部品群が地板３１にねじ止めされる。なお、パイプ部材３１Ｐの下方にもムーブメント３０の所定の構成部品を地板３１に固定するねじ３１ｎが締結される。
この場合、マイナスリード板８０とプラスリード板９０との間に、アンテナユニット３７のコア枠２１０が介挿されるため、絶縁性材料で形成されたコア枠２１０がマイナスリード板８０とプラスリード板９０との間を絶縁する絶縁部材を兼用することになり、別途絶縁部材を配置する場合に比してムーブメント厚を薄くすることができる。
【００３４】
また、他方のパイプ部材３１Ｐ１は、地板３１の外周のモータ３６Ｂ近傍に設けられ（図５参照）、このパイプ部材３１Ｐには、図１２に示すように、アンテナユニット３７の他方のわん曲部２１３に設けられた孔部２１４と、回路基板５０と、回路押さえ板５１とが順に挿通され、このパイプ部材３１Ｐ１に上方からねじ３１Ｎ１が締結されることによって、パイプ部材３１Ｐ１に挿通された部品群が地板３１にねじ止めされる。なお、パイプ部材３１Ｐ１の下方にはムーブメント３０の他の構成部品を地板３１に固定するねじ３１ｎ１が締結される。
この場合、アンテナユニット３７のわん曲部２１３には、アンテナ用回路基板２４０が配置されるため（図８参照）、このわん曲部２１３の上に回路基板５０が重ねられることによって、このアンテナ用回路基板２４０上の導通パターン２４２と回路基板５０とを電気的に接続することができ、このアンテナ用回路基板２４０を介してコイル２３０と受信ＩＣ５５とを容易に電気的に接続することができる。
【００３５】
このようにしてアンテナユニット３７は地板３１に両持ち支持され、この支持状態では、図１２に示すように、アンテナコア２２０と地板３１との間に隙間ＳＫが形成され、地板３１からの衝撃がアンテナコア２００に直接伝達されない支持構造となっている。また、アンテナユニット３７のコイル２３０の一部が、地板３１に予め形成された開口部３１Ｋ内に挿入されるので、アンテナユニット３７を地板３１に近接配置することができ、これによってもムーブメント３０の薄型化を図ることができる。
【００３６】
図１３（Ａ）は、コア枠２１０のフランジ部２１２Ｆの断面（図９のａ−ａ断面）を周辺構成と共に示す断面図であり、図１３（Ｂ）は、フランジ部２１２Ｆを除く凹状部２１２Ａの断面（図９のｂ−ｂ断面）を周辺構成と共に示す断面図である。
本構成では、図１３（Ａ）に示すように、地板３１には、アンテナユニット３７に設けられた一対の係止爪２１６が係止する係止部３１Ｌが設けられており、係止爪２１６が係止部３１Ｌに係止する。つまり、アンテナユニット３７は、その両端部（ねじ固定部分）と、略中央に位置するコイル２３０近傍部分（係止爪２１６部分）とが地板３１に固定され、アンテナユニット３７を地板３１確実に固定することができる。
【００３７】
また、本構成のアンテナユニット３７は、コア枠２１０の係止爪２１６および両端部分（ねじ固定部分）を除いて、地板３１とコア枠２１０との間に隙間が形成されており、図１３（Ｂ）に示すように、コア枠２１０の凹状部２１２Ａにおける平面部２１２Ｈが、アンテナコア２２０より地板３１側に位置して、この平面部２１２Ｈと地板３１との間隙が最も小さい値Ｓ（つまり、Ｓ＜ＳＫ（アンテナコア２２０と地板３１との間の間隙））となっている。なお、上述したように、コア枠２１０の凹状部２１３Ａにも、凹状部２１２Ａの平面部２１２Ｈと同じ高さの平面部２１２Ｈが設けられるため、この凹状部２１３Ａにおける平面部２１２Ｈと、地板３１との間の間隙も値Ｓとなっている。
従って、本実施形態では、コア枠２１０の凹状部２１２Ａ、２１２Ｂに前後左右に間隔を空けて設けた４つの平面部２１２Ｈが地板３１に最も近接した状態で、アンテナユニット３７が地板３１に固定されることとなる。
このため、落下などで比較的大きな衝撃が加わってコア枠２１０が撓んだ場合には、凹状部２１２Ａ、２１２Ｂのいずれかの平面部２１２Ｈ、あるいは、複数の平面部２１２Ｈが地板３１に当たり、アンテナコア２２０が地板３１に接触するのを確実に規制することができる。
【００３８】
以上説明したように、本実施形態によれば、アンテナユニット３７のコア枠２１０が、アンテナコア２２０を含む外周にコイル２３０が巻かれる平板部２１１と、この平板部２１１に設けられてコイル２３０の一部を収容する断面凹状の凹状部２１２Ａ、２１３Ａを備え、衝撃でコア枠２１０が撓んだ場合に凹状部２１２Ａ、２１３Ａが地板３１に接触するようにしたので、アンテナコア２００へ衝撃が加わるのを防止することができる。
このため、本実施形態のようにアンテナコア２２０に、衝撃に弱く、かつ、衝撃で磁気特性が劣化するおそれのある熱処理したアモルファスコアを適用した場合でも、アンテナコア２００を樹脂製の枠などで覆うことなく、アンテナコア２００への衝撃を回避でき、磁気特性の劣化を回避することができる。また、衝撃吸収用に樹脂製の枠を設けた従来のアンテナユニットに比して小型化されるため、小型で高信頼性を有したアンテナユニット３７を提供することが可能になる。
【００３９】
さらに、本実施形態では、コア枠２１０において、アンテナコア２２０が配置されてコイル２３０が巻かれる部分が平板部２１１であるため、断面凹形状の凹部内にアンテナコアを収容した従来のものに比して、コイル２３０の巻き上がりを小さくでき、これによってもアンテナユニット３７を小型化することができる。
また、断面凹形状の凹部内にアンテナコアを収容した従来のアンテナは、コア枠の厚みの分だけ、アンテナコアとコイルとが離れ、受信効率が低くなってしまうが、本実施形態ではアンテナコア２２０とコイル２３０とが近接するので、受信効率の低下を回避でき、アンテナ性能も向上可能である。
また、従来はアモルファスコアのサイズが大きくなるため、アモルファス金属箔のプレス打ち抜き時に反りや返りが生じて鋭利な部分が生じ易く、この鋭利な部分でコイルの破断や短絡を防止するために凹形状のコア枠を必要としていたが、本実施形態では、アモルファスコア（アンテナコア２２０）のサイズが小さいため、プレス打ち抜きの際に反りや返りが小さく、絶縁性フィルム２５０による絶縁でもコイルの破断や短絡を回避できる。
【００４０】
また、コア枠２１０において、図１２に示すように、アンテナ用回路基板２４０が配置される面２６１（アンテナ用回路基板配置面２６０）よりも、コイル２３０が巻かれる面２５１の方がアンテナコア２００に近くなるように構成されるので、コイル２３０をアンテナコア２００に近づけることができると共に、アンテナ用回路基板２４０とアンテナコア２００とを離して配置でき、長波標準電波の受信を行う際のアンテナコア２００に発生する磁界とアンテナ用回路基板２４０に流れる受信信号との干渉が低減され、受信効率の低下を回避できる。
【００４１】
なお、本発明は前述の実施形態に限定されるものではなく、本発明の目的を達成できる範囲での変形、改良などは本発明に含まれるものである。例えば、上述の実施形態では、ソーラー発電による電力を二次電池３８に蓄電する場合について説明したが、これに限らず、回転錘を備えてこの回転錘の旋回（運動エネルギー）から発電を行う発電装置や熱発電を行う発電装置を備え、この発電装置による電力を二次電池３８に蓄電するようにしてもよい。また、発電装置を備えず外部電力を二次電池に充電するようにしてもよく、また、発電装置および二次電池を備えず、電源として一次電池を備えるようにしてもよい。
また、上述の実施形態では、本発明を腕時計型電子時計に内蔵されるアンテナに適用する場合について説明したが、これに限らず、懐中時計などの他の携帯型時計や、置き時計などの固定型時計などに内蔵されるアンテナに広く適用することができる。
【図面の簡単な説明】
【００４２】
【図１】本発明に係る電子時計の電気的構成を示すブロック図である。
【図２】電子時計の一実施形態に係る時計の外観を示す図である。
【図３】時計の断面構造の概要を示す図である。
【図４】ムーブメントを裏蓋側から見た平面図である。
【図５】ムーブメントから回路基板および回路押さえ板を外した状態を示す平面図である。
【図６】回路基板の時計表側の平面図である。
【図７】回路基板の裏蓋側の平面図である。
【図８】アンテナユニットを示す斜視図である。
【図９】アンテナユニットを裏側から見た斜視図である。
【図１０】アンテナユニットのコア枠を示す斜視図である。
【図１１】アンテナユニットの断面図である。
【図１２】アンテナユニットの実装状態を示す断面図である。
【図１３】（Ａ）はコア枠のフランジ部の断面を周辺構成と共に示す断面図であり、（Ｂ）はフランジ部を除く凹状部の断面を周辺構成と共に示す断面図である。
【符号の説明】
【００４３】
１…腕時計（電子時計）、１Ａ…時刻表示指針、１Ｂ…アナログ時計機構部、１Ｃ…モータ駆動回路、１Ｄ…制御回路、１Ｅ…電源、１Ｆ…アンテナ、１Ｇ…受信回路、１Ｈ…データ記憶回路、１Ｉ…針位置検出回路、１Ｊ…発電装置、１Ｋ…外部操作部材、２…時計ケース、３…バンド、５〜７…表示指針、９…操作ボタン、１０…文字板、２０…ソーラーパネル、３０…ムーブメント（電子時計用ムーブメント）、３１…地板、３１Ｄ…凹部、３１Ｎ、３１Ｎ１、３１ｎ…ねじ、３１Ｐ、３１Ｐ１…パイプ部材、３５…輪列機構、３６Ａ、３６Ｂ…モータ、３７…アンテナユニット（アンテナ）、３８…二次電池（電源）、４１…裏蓋、５０…回路基板（回路部）、５１…回路押さえ板、５５…受信ＩＣ（受信回路）、５６…マイクロコンピュータ（制御回路）、２１０…コア枠、２１１…平板部、２１２、２１３…わん曲部、２１２Ａ、２１３Ａ…凹状部、２２０…アンテナコア、２３０…コイル、２４０…アンテナ用回路基板（フレキシブルプリント基板）、２５０…絶縁性フィルム。
【図１】
2008020326.tif 000003
【図２】
2008020326.tif 000004
【図３】
2008020326.tif 000005
【図４】
2008020326.tif 000006
【図５】
2008020326.tif 000007
【図６】
2008020326.tif 000008
【図７】
2008020326.tif 000009
【図８】
2008020326.tif 000010
【図９】
2008020326.tif 000011
【図１０】
2008020326.tif 000012
【図１１】
2008020326.tif 000013
【図１２】
2008020326.tif 000014
【図１３】
2008020326.tif 000015